(57)【要約】【課題】マルチビュー表示を行う表示装置において、画面に対する視認領域に応じて表示する画像を制限することにより、セキュリティ性を高めて、機密情報の漏洩を防止する。【解決手段】画像処理装置が画像を表示装置に出力するとき、画像処理装置は指定された視認領域に対する表示条件を確認する。確認後、画像処理装置は、表示条件にしたがって原稿の画像を読み取る。出力する画像は、元の画像とは異なる画像となり、出力する画像が制限される。画像処理装置は、制限された画像を表示装置に送信する。表示装置は、指定された視認領域に対して、元の画像とは異なる制限された画像を表示する。他の視認領域に対しては、元の画像を表示する。【選択図】図６
2008304656.tif 000002
【特許請求の範囲】
【請求項１】
画面に対して異なる視認領域から異なる画像を見ることができるように複数の画像を同時に表示する表示装置と画像を処理する画像処理装置とがネットワークを通じて接続され、表示装置が画像処理装置から出力された画像を表示する表示システムであって、画像処理装置は、視認領域に応じて、出力する画像を制限し、表示装置は、制限された画像を含む複数の画像を表示することを特徴とする表示システム。
【請求項２】
視認領域に対してセキュリティレベルが設定され、視認領域のセキュリティレベルに応じて表示条件が決められ、画像処理装置は、表示条件に応じて出力する画像を制限することを特徴とする請求項１記載の表示システム。
【請求項３】
視認領域のセキュリティレベルは、視認領域にいる利用者に応じて決められることを特徴とする請求項２記載の表示システム。
【請求項４】
画像処理装置は、表示条件にしたがって元の画像とは異なるように加工した画像を出力し、表示装置は、加工された画像を表示することを特徴とする請求項１、２または３記載の表示システム。
【請求項５】
画像処理装置は、表示条件に基づいて画像の出力の可否を判断し、出力否の場合、画像の出力を禁止することを特徴とする請求項１、２または３記載の表示システム。
【請求項６】
表示条件は、画像の拡大の可否を含むことを特徴とする請求項１、２または３記載の表示システム。
【請求項７】
表示装置は、拡大可とされた画像が入力したとき、画像を拡大して表示することを特徴とする請求項６記載の表示システム。
【請求項８】
画面に対して異なる視認領域から異なる画像を見ることができるように複数の画像を同時に表示する表示装置にネットワークを通じて接続され、表示装置に画像を出力する画像処理装置であって、視認領域に対して決められた表示条件にしたがって出力する画像を制限する制御部を備え、制御部は、制限された画像を表示装置に出力することを特徴とする画像処理装置。
【請求項９】
制御部は、表示条件にしたがって元の画像とは異なる画像となるように画像を加工することを特徴とする請求項８記載の画像処理装置。
【請求項１０】
制御部は、表示条件に基づいて画像の出力の可否を判断し、出力否の場合、画像の出力を禁止することを特徴とする請求項９記載の画像処理装置。
【発明の詳細な説明】
【技術分野】
【０００１】
本発明は、マルチビュー表示を行う表示装置において、画像処理装置から出力された画像を表示する表示システムに関する。
【背景技術】
【０００２】
複合機といった画像処理装置と表示装置とをネットワークを通じて接続することにより、表示システムが形成され、画像処理装置から出力された画像が表示装置において表示される。画像処理装置は、スキャナによって原稿の画像を読み取ったり、パソコンから出力された画像を記憶してファイリングする。そして、入力された画像をネットワークを通じて外部に出力できる。そこで、特許文献１に記載されているように、画像処理装置が、読み取った画像を表示装置に出力すると、表示装置は、入力された画像をリアルタイムで表示することができる。
【０００３】
そして、表示装置には、特許文献２に記載のように、一方の視認領域から見ることができる画像と他方の視認領域から見ることができる画像とを同時に表示するマルチビュー表示可能な表示装置がある。この表示装置では、利用者は異なる方向から異なる画像を見ることができる。
【特許文献１】特開２００７−９７０５２号公報
【特許文献２】特開２００５−２８４５９２号公報
【発明の開示】
【発明が解決しようとする課題】
【０００４】
マルチビュー表示可能な表示装置が来客や部外者がいる会議室のような部屋に設置される場合、来客や部外者といった第３者は、一般的に所定の視認領域に集まって、表示装置の画像を見る。ところで、画像には、機密情報にかかる画像もある。このような画像が第３者に見られると、機密情報の漏洩につながるおそれがある。
【０００５】
すなわち、機密情報の漏洩防止の観点からすれば、利用者の見る方向によっては、表示する画像を制限する必要がある。そこで、本発明は、上記に鑑み、セキュリティ性を高めて、機密情報の漏洩を防止できる表示システムの提供を目的とする。
【課題を解決するための手段】
【０００６】
本発明は、画面に対して異なる視認領域から異なる画像を見ることができるように複数の画像を同時に表示する表示装置と画像を処理する画像処理装置とがネットワークを通じて接続され、表示装置が画像処理装置から出力された画像を表示する表示システムであって、画像処理装置は、視認領域に応じて、出力する画像を制限し、表示装置は、制限された画像を含む複数の画像を表示するものである。
【０００７】
マルチビュー表示を行う表示装置では、各視認領域に対応して、複数の画像が表示される。このとき、特定の視認領域に対して、制限された画像が表示され、元の画像がそのまま表示されることはない。そのため、機密情報を含む画像を表示する場合、機密情報が明瞭にならない状態で画像を表示することができ、この視認領域にいる利用者に対して機密情報の視認を不可能にできる。他の視認領域に対しては、制限されない画像が表示されるので、利用者は機密情報を含む画像をそのまま見ることができる。
【０００８】
画像を制限するために、視認領域に対してセキュリティレベルが設定され、視認領域のセキュリティレベルに応じて表示条件が決められる。画像処理装置は、表示条件に応じて出力する画像を制限する。
【０００９】
視認領域のセキュリティレベルが低いほど、出力する画像が厳しく制限され、視認領域のセキュリティレベルが高いほど、出力する画像の制限が緩くなるように、表示条件は決められる。
【００１０】
視認領域には、不特定の利用者が存在して、表示装置の画像を見る。そのため、視認領域にいる利用者を考慮して、視認領域のセキュリティレベルが設定される。来客等の外部の利用者がいる場合、視認領域のセキュリティレベルは低く設定され、内部の利用者がいる場合、視認領域のセキュリティレベルは高く設定される。
【００１１】
画像処理装置は、表示条件にしたがって元の画像とは異なるように加工した画像を出力し、表示装置は、加工された画像を表示する。加工された画像は、元の画像よりも画質等が低下し、異なった画像となる。そのため、機密情報にかかる画像が視認しにくくなり、機密情報であることを認識されるのを防げる。
【００１２】
画像処理装置は、表示条件に基づいて画像の出力の可否を判断し、出力否の場合、画像の出力を禁止する。画像の出力を禁止することによっても、出力する画像の制限となる。出力可の場合には、画像を加工して出力するとよい。
【００１３】
表示条件は、画像の拡大の可否を含む。表示装置は、拡大可とされた画像が入力したとき、画像を拡大して表示する。拡大された画像が表示されると、細かな画像も視認できる。そのため、画像の拡大を否とすることにより、制限された画像が表示されることになる。
【００１４】
上記の画像処理装置としては、視認領域に対して決められた表示条件にしたがって出力する画像を制限する制御部を備え、制御部は、制限された画像を表示装置に出力する。
【００１５】
また、制御部は、表示条件にしたがって元の画像とは異なる画像となるように画像を加工する。さらに、制御部は、表示条件に基づいて画像の出力の可否を判断し、出力否の場合、画像の出力を禁止する。
【発明の効果】
【００１６】
本発明によると、画面に対する視認領域に応じて出力する画像を制限することにより、機密情報を含む画像であっても、元の画像とは異なった画像となって表示される。これによって、同じ表示装置を見ている利用者であっても、特定の利用者に対しては機密情報にかかる画像を不明瞭にできる。したがって、マルチビュー表示を行う表示装置において、機密情報の漏洩を防止でき、セキュリティ性の高い表示システムを構築できる。
【発明を実施するための最良の形態】
【００１７】
本実施形態の表示システムを図１に示す。表示システムは、１つあるいは複数の画像処理装置１、表示装置２および情報処理装置３から構成され、これらがネットワークを通じて通信可能に接続される。画像処理装置１は、コピー、プリント、スキャン、ファクシミリ通信およびドキュメントファイリングを実行する複合機である。情報処理装置３は、パソコンあるいはサーバであり、画像の作成、画像の記憶といったように画像を処理する。すなわち、情報処理装置３も画像処理装置１の１つである。表示装置２は、デュアルビュー表示可能なディスプレイであり、いわゆるインフォメーションディスプレイとされる。
【００１８】
図２に示すように、画像処理装置１は、原稿の画像を読み取るスキャナ１０と、入力された画像を印刷する印刷部１１と、入力された画像を指定された送信先に送信するＦＡＸ部１２と、日時を計時する計時部１３と、タッチパネル式の表示部を有し、利用者が操作入力を行うための操作表示部１４と、画像を一時的に記憶するＲＡＭ等の画像メモリ１５と、画像を送信するために画像を変換する画像変換部１６と、装置全体の動作の制御を司る制御部１７と、画像および各種設定情報を記憶する記憶部１８と、ネットワークを介して情報処理装置３、表示装置２等の外部装置と通信を行うインタフェース部１９とを備えている。
【００１９】
情報処理装置３は、画像を表示する表示部２０と、利用者が操作入力を行うための操作部２１と、画像を記憶する記憶部２２と、画像に対する処理を実行する制御部２３と、ネットワークを介して画像処理装置１、表示装置２等の外部装置と通信を行うインタフェース部２４とを備えている。
【００２０】
図３に示すように、表示装置２は、液晶ディスプレイ等の表示パネル３０と、表示パネル３０の前面に設けられたタッチパネル３１と、タッチパネル３１上の座標位置を検出するタッチ位置検出部３２と、表示パネル３０に表示タイミング信号を出力する表示コントロール部３３と、表示パネル３０に表示するアイコンに関する情報を格納するＲＯＭ、不揮発性メモリ等からなるメモリ３４と、画像を記憶するハードディスク装置、不揮発性メモリ等からなる記憶部３５と、画像の表示を制御する制御部３６と、ネットワークを介して画像処理装置１、情報処理装置３等の外部装置と通信を行うインタフェース部３７とを備えている。このように、表示装置２には、情報処理装置３と同様の機能が組み込まれている。
【００２１】
表示パネル３０は、２つの基板の間に異方性誘電率の液晶層を有する。この液晶層に印加される電界の強さに応じて基板を透過するバックライトからの光の量を調整することにより、画像が表示される。
【００２２】
また、表示パネル３０の前面に、パララックスバリア（光学系分離素子）が全面にわたって重ね合わされている。パララックスバリアは、不透明領域によって隔てられた垂直な透光性スリットを複数有するスリットである。
【００２３】
メモリ３４には、複数のアイコンデータが格納されている。アイコンデータは、アイコンの形状、色、表示位置、アイコン内に表示される文字等に関する表示情報、およびタッチパネル３０を通じてアイコンが選択されたときの動作内容を特定するための動作情報を含む。
【００２４】
制御部３６は、画像処理装置１あるいは情報処理装置３等の外部装置から入力された画像に、メモリ３４から読み出したアイコンを合成して、表示コントロール部３３に出力する。表示コントロール部３３は、合成した画像を表示パネル３０に出力する。このとき、表示パネル３０の表示動作をコントロールするための制御信号も出力する。具体的には、表示コントロール部３３は、表示する画像に基づき、ゲートドライバおよびソースドライバを駆動する。ゲートドライバは、表示パネル３０の複数の画素を駆動するための操作電圧を印加する。ソースドライバは、複数の画素を駆動するための書込電圧を印加する。表示パネル３０の各画素は、表示コントロール部３３からの制御信号に基づき駆動され、表示パネル３０に画像が表示される。
【００２５】
ここで、デュアルビュー表示では、画面を左側から見たときの画像と、右側から見たときの画像とが異なる。左側の画像が見える領域を左側の視認領域、右側の画像が見える領域を右側の視認領域とする。左側の視認領域からは右側の画像を見ることはできない。
【００２６】
図４にデュアルビュー表示が行われたときの画面を示す。画面に対して左側の視認領域に視聴者Ａがいる。画面に対して右側の視認領域に視聴者Ｂがいる。図４（ａ）に示すように、表示パネル３０には、１つの画像が表示されている。この画面には、アイコンＡ、Ｂがそれぞれ表示されている。図４（ｂ）は、表示パネル３０を視聴者Ａがいる視認領域から見たときの画像を示している。視聴者Ａは、左側の視認領域用の画像として雪山の画像と、左側の視認領域用のアイコンとして画面中心部から左上方と右下方とに配置されたアイコンＡとを視認できる。図４（ｃ）は、表示パネル３０を視聴者Ｂがいる視認領域から見たときの画像を示している。視聴者Ｂは、右側の視認領域用の画像として地図の画像と、右側の視認領域用のアイコンとして画面中心部から右上方と左下方とに配置されたアイコンＢとを視認できる。このように画面に対して左右の視認領域にいる利用者は、それぞれ異なる画像を見ることになる。
【００２７】
デュアルビュー表示を行うために、制御部３６は、外部装置から入力された左側の視認領域用の画像および右側の視認領域用の画像を記憶部３５に一時的に保存する。それぞれの画像は、同じ外部装置から出力されるか、あるいは異なる外部装置から出力される。そして、制御部３６は、メモリ３４から左側の視認領域用のアイコンを左側の視認領域用の画像に重畳する。同様に、右側の視認領域用のアイコンを右側の視認領域用の画像に重畳する。なお、メモリ３４に格納されているアイコンデータには、左側の視認領域用のアイコンデータと右側の視認領域用のアイコンデータとがある。制御部３６は、このように作成したデータを表示コントロール部３３に出力する。
【００２８】
表示コントロール部３３は、制御部３６から入力される左側の視認領域用の画像と右側の視認領域用の画像とをデュアルビューディスプレイ技術の画素配分に適した画素配分となるように処理し、１つの画像として表示パネル３０に出力する。この際、表示コントロール部３３は、表示パネル３０の表示動作をコントロールするために必要な制御信号も合わせて出力する。
【００２９】
表示パネル３０の隣り合う画素が、視聴者Ａ用の画像または視聴者Ｂ用の画像に応じて表示コントロール部３３により駆動される。表示パネル３０の画素は、１個おきに視聴者Ａ用の画像と視聴者Ｂ用の画像とが交互に表示されるように駆動される。なお、画素を２個おき、あるいが３個おきのように複数個おきに駆動してもよい。この駆動は、パララックスバリアの透光性スリットの幅に応じて設定される。これにより、パララックスバリアの複数の透光性スリットを通して見える光が所定の視認領域からしか見えないことになる。左側の視認領域にいる利用者は、左側の視認領域用の画像を視認することができ、右側の視認領域にいる利用者は、右側の視認領域用の画像を視認することができる。
【００３０】
タッチパネル３１は、表示パネル３０の表示を阻害しない透明素材で形成された静電容量結合方式のパネルである。タッチパネル３１の透明電極に指等の導電体を近づけると、静電容量結合が起こり、電流が流れる。タッチ位置検出部３２は、この電流を検出して、導電体が近づいた座標を算出し、この検出信号を制御部３６に送信する。これによって、制御部３６は、利用者がタッチした位置情報を認識する。そして、制御部３６は、選択されたアイコンに設定された動作内容を実行するように表示コントロール部３３を制御する。なお、タッチパネル３１の方式として、電磁誘導式、電気抵抗式、感圧式等の他の方式としてもよい。
【００３１】
本表示システムでは、表示装置２が、会議室、応接室、商談室等に設置される。画像処理装置１や情報処理装置３は、表示装置２と同じ場所あるいは異なる場所に設置される。それぞれ所定の場所に設置された画像処理装置１、情報処理装置３および表示装置２は、ＬＡＮ、ＷＡＮといったネットワークにより接続されている。なお、ＬＡＮケーブル、電灯線を使用した有線のＬＡＮの代わりに、無線ＬＡＮを利用してもよい。各装置のインターフェース部は、所定の通信プロトコルによって外部装置と通信を行う。ネットワークは、ルータを通じて電話回線や光ファイバ等の通信回線によりインターネットに接続される。また、画像処理装置１のＦＡＸ部１２は、モデムを有し、モデムが電話回線に接続される。ＦＡＸ部１２は、モデムを通じてファクシミリ装置や他の画像処理装置１とファクシミリ通信を行う。
【００３２】
情報処理装置３では、制御部２３が、アプリケーションを起動して、利用者の入力に基づいて生成した画像を記憶する。あるいはインターネットを通じて取得した画像を記憶する。そして、制御部２３は、画像を画像処理装置１あるいは表示装置２に出力する。
【００３３】
画像処理装置１では、スキャナ１０により画像を読み取ることにより、画像が入力される。また情報処理装置３からの画像を受信することにより、画像が入力される。制御部１７は、利用者あるいは情報処理装置３の指示にしたがって、入力された画像を処理する。例えば、コピーやプリントでは、印刷部１１を動作させて、画像を印刷する。ファクシミリ通信では、ＦＡＸ部１２を動作させて、画像を受信する。ドキュメントファイリングでは、画像をハードディスク装置等の記憶部１８に記憶する。
【００３４】
画像処理装置１は、入力された画像あるいは記憶している画像を表示装置２に出力する。このとき、画像変換部１６は、画像をＪＰＥＧ等の所定のデータ形式に変換する。変換された画像が表示装置２に出力される。情報処理装置３でも同様に、画像を表示装置２に出力する。
【００３５】
表示装置２は、画像処理装置１あるいは情報処理装置３から出力された画像をアイコンとともに表示する。そして、利用者がタッチパネル３１を通じて操作することにより、表示する画像に対して変更等の表示制御が行われるとともに、変更後の画像が画像処理装置１あるいは情報処理装置３に出力される。
【００３６】
すなわち、表示装置２の制御部３６は、利用者がアイコンをタッチしたとき、タッチ位置検出部３２からの位置情報と表示しているアイコンの表示情報との関係を判断する。制御部３６は、利用者によって選択されたアイコンを認識して、このアイコンに対する動作情報に基づき、画像の移動、変形、切替といった処理を実行する。処理後の画像は、記憶部３５に記憶される。また、制御部３６は、必要に応じて処理後の画像を画像処理装置１あるいは情報処理装置３に出力する。これにより、利用者は、表示されている画像に対する操作を簡単に行える。なお、画像が各装置内部において処理されるとき、およびネットワークを通じて通信されるとき、所定のデータ形式の画像データとして取り扱われる。
【００３７】
表示装置２において、異なる視認領域に対して、異なる画像が表示される。各視認領域にいる利用者は、それぞれ異なる画像を見る。例えば、会議や打ち合わせの場合、一方の視認領域にいる利用者は来客や部外者等の外部の利用者、他方の視認領域にいる利用者は内部の利用者といったことがある。このとき、外部の利用者に機密情報を含む画像を見られては困る場合がある。
【００３８】
そこで、画像処理装置１は、視認領域に応じて出力する画像を制限する。すなわち、画像処理装置１の制御部１７は、外部の利用者のいる視認領域に対する画像を制限して出力する。表示装置２は、一方の視認領域用の画像として制限された画像を表示する。他方の視認領域用の画像は制限されない画像を表示する。
【００３９】
ここで、画像処理装置１の制御部１７は、表示条件にしたがって出力する画像を制限する。この表示条件は、視認領域のセキュリティレベルに応じて決められる。視認領域のセキュリティレベルは、予め管理者といった権限を有する利用者によって設定される。
【００４０】
具体的には、各視認領域にいる利用者が確定したとき、管理者等の利用者が、画像処理装置１あるいは情報処理装置３において、それぞれの視認領域にいる利用者に応じて視認領域のセキュリティレベルを設定し、セキュリティレベルに応じて表示条件を決める。
【００４１】
例えば、内部の利用者がいる視認領域では、セキュリティレベルは高く設定され、来客等の外部の利用者がいる視認領域では、セキュリティレベルは低く設定される。セキュリティレベルが低いほど、出力する画像が厳しく制限され、セキュリティレベルが高いほど、出力する画像の制限が緩くなるように、表示条件が決められる。なお、表示条件の決定に際して、表示装置２の表示能力が参照される。解像度、画面サイズ、色数といった表示能力に応じて、この表示能力を超えないように表示条件が決められる。セキュリティレベルが最高レベルの場合、表示装置２の表示能力が表示条件となり、出力される画像は制限されない。
【００４２】
このような設定された表示条件およびセキュリティレベルは、画像処理装置１および情報処理装置３に記憶される。図５に示すように、視認領域、表示条件、拡大表示の有無およびセキュリティレベルといった表示装置情報を登録する表示装置情報管理テーブルが作成される。表示装置情報テーブルは画像処理装置１および情報処理装置３の記憶部１８、２２に記憶される。画像処理装置１および情報処理装置３は、同じ表示装置情報テーブルを保有する。表示装置２を見る利用者が変わるたびに、視認領域のセキュリティレベルは変更され、これに伴って表示条件も変更される。このような表示装置情報の変更があったとき、各画像処理装置１および情報処理装置３の表示装置情報テーブルは更新される。
【００４３】
なお、図５中、左側の視認領域は左画面に対応し、右側の視認領域は右画面に対応する。両画面は、左右の視認領域に同じ画像を表示する場合である。表示装置情報中の拡大表示は、表示装置２において、画像を拡大して表示する機能である。表示サイズあるいはズーム倍率が指定可能とされ、表示装置２の制御部３６は、指定された大きさに画像を拡大する。表示条件は、拡大表示の有無も含む。拡大表示を無に設定した場合、表示される画像が制限される。
【００４４】
画像処理装置１は、表示装置２に画像を出力するとき、決められた表示条件にしたがって出力する画像を制限する。表示条件は、表示装置２の表示能力に基づき、視認領域のセキュリティレベルに応じて決められる。画像処理装置１は、表示条件にしたがって元の画像とは異なるように、画像を加工する。そして、画像変換部１６が、加工された画像を送信するためのデータ形式に変換した後、制御部１７は、変換後の画像を出力する。
【００４５】
上記の表示条件は、管理者等の利用者が設定することにより決められる。これに代わり、画像処理装置１あるいは情報処理装置３の制御部１７、２３が、視認領域のセキュリティレベルが入力されたとき、表示装置２の表示能力に応じて自動的に表示条件を決めてもよい。
【００４６】
この画像の加工として、カラー画像を白黒画像にする、画像の解像度を下げる、画像サイズを小さくする、画像のコントラストを弱くするといった加工があげられる。また、画像処理装置１や情報処理装置３の有する画像処理の機能を利用して、複数のページからなる画像の場合、１つのページに複数のページの画像を並べるマルチページとする加工、あるいは画像の伸縮、回転、色の反転といったように画像を変形する加工としてもよい。
【００４７】
表示条件では、これらの加工のうち、１つあるいは複数の加工が選択される。そして、セキュリティレベルに応じて加工による変化の度合いが決められる。セキュリティレベルが低いほど、元の画像からの変化の度合いが大きくなるように、画像が加工される。例えば、画像の解像度の場合、セキュリティレベルが低いとき、１５０ｄｐｉとし、セキュリティレベルが高いとき、６００ｄｐｉとする。このような加工を施すことにより、出力する画像を制限することになる。
【００４８】
ここで、画像の加工において、記憶部１８に記憶されている画像あるいは情報処理装置３から入力された画像に対しては、制御部１７が表示条件にしたがって加工を実行する。また、スキャナ１０から入力される画像に対しては、制御部１７が表示条件に応じてスキャナ１０の読取条件を設定し、スキャナ１０はこの読取条件にしたがって画像を読み取る。スキャナ１０が読み取った画像は、元の画像とは異なる画像となっており、加工された画像である。あるいは、スキャナ１０は通常通りに画像を読み取り、制御部１７は、読み取った画像に対して、表示条件にしたがって加工を行う。すなわち、スキャナ１０から入力された画像に対しても、制御部１７が、出力する画像を制限したことになる。なお、制御部１７は、表示条件によっては、読み取った画像に対して、さらに加工する。
【００４９】
また、表示条件には、画像の出力の可否が含まれる。出力可（送信可）の場合、制御部１７は、表示装置２への画像の出力を許容する。出力否（送信不可）の場合、制御部１７は、画像の出力を禁止する。この出力の可否もセキュリティレベルに応じて決められる。このように、画像の出力を禁止することにより、画像の出力が制限される。
【００５０】
画像処理装置１は、利用者を認証する機能を有する。ＩＤ、パスワード等の利用者の認証情報が登録され、認証情報は記憶部１８の管理テーブルに記憶される。また、管理テーブルは、入力された画像に対して設定されたセキュリティレベルを記憶する。
【００５１】
次に、表示装置２において画像を表示するときの手順を図６にしたがって説明する。利用者は、まず画像を表示させたい表示装置２を指定する。利用者は、図７に示す画像処理装置１の操作パネルにおけるユーザ設定キーを操作する。図８に示す制限した画像を表示させたい画面を指定するための送信先設定画面が操作パネルの操作表示部１４に表示される。ここで、利用者は、左画面を指定する（Ｓ１）。制御部１７は、表示装置情報テーブルから指定された画面（視認領域）に対する表示装置情報を読み出し、図９に示すように操作表示部１４に表示条件の確認画面を表示する（Ｓ２）。操作表示部１４の画面には、指定された画面、表示装置２の表示能力および表示条件が表示される。
【００５２】
利用者は、表示条件を確認する。この表示条件で問題がなければ、利用者は画面のＯＫボタンを操作する（Ｓ３）。制御部１７は、記憶部１８から表示条件を取得し、画像メモリ１５に一時的に記憶する（Ｓ４）。なお、表示条件に問題がある場合、利用者が操作パネルのクリアキーを操作すると、制御部１７は、表示装置２に送信するための動作を中止する（Ｓ１２）。
【００５３】
送信ＯＫの場合、利用者はスキャナ１０に原稿を載置する（Ｓ５）。スタートボタンが操作される（Ｓ６）と、スキャナ１０が動作して、原稿の画像を読み取る（Ｓ７）。制御部１７は、表示条件にしたがって画像を読み取るように、スキャナ１０に指示する。スキャナ１０は、表示条件に応じたカラーモード、読取解像度、読取サイズ、読取倍率で画像を読み取る。制御部１７は、読み取って入力された画像を画像メモリ１５に記憶する。この画像は、元の画像とは異なる画像となっている。
【００５４】
画像の読み取りが終了する（Ｓ８）と、制御部１７は、表示条件から拡大表示の有無をチェックする（Ｓ９）。拡大表示が無の場合、制御部１７は、出力する画像に拡大表示禁止の情報を付加する（Ｓ１０）。拡大表示が有の場合、何も情報を付加しない。そして、制御部１７は、加工されることにより制限された画像を表示装置２に送信する（Ｓ１１）。
【００５５】
表示装置２では、画像処理装置１からの画像を受信すると、制御部３６が入力された画像を左側の視認領域用の画像として表示コントロール部３３に出力する。表示コントロール部３３が表示パネル３０を駆動して、左側の視認領域用の画像が表示パネル３０に表示される。あるいは、画像を受信したとき、制御部３６は、表示パネル３０に画像を受信した旨の報知を表示するようにする。表示装置２の近くにいる利用者が、表示するためにタッチパネル３１を操作すると、制御部３６は、画像を表示させる。拡大表示が有の場合、制御部３６は、拡大した画像を表示させる。
【００５６】
右側の視認領域用の画像が、画像処理装置１がスキャナによって読み取った画像である場合、加工せずに出力した画像が表示される。この場合、左右の視認領域用の画像は同じであるが、左側は制限された画像であり、機密情報が含まれているとき、利用者には機密情報がわからないように画像が表示される。一方、右側は制限されていない画像である。利用者は、機密情報を含む画像をそのまま見ることができる。
【００５７】
また、右側の視認領域用の画像として、他の画像処理装置１や情報処理装置３から出力された画像であってもよい。さらには、画像のソース源が、ＤＶＤ等の記録メディアを再生する再生装置、テレビから出力された画像であってもよい。このとき、左右の視認領域用の画像は異なる。ただし、右側は制限されていない画像である。なお、右側の視認領域用の画像を制限した画像としてもよい。これによって、右側の視認領域に応じた表示条件にしたがって制限された画像が出力され、制限された画像が表示される。
【００５８】
制限された画像は、元の画像とは異なる画像となっている。視認領域のセキュリティレベルが低い場合、表示される画像の変化の度合いは大きく、画質が低下して、詳細な画像とはならない。したがって、機密情報を含む画像であっても、セキュリティレベルの低い視認領域にいる利用者は、機密情報を明確に認識することができない。そのため、機密情報の漏洩を防止することができる。しかし、その設置場所にいる利用者にとっては、表示された画像から必要最低限の情報を得ることができる。
【００５９】
上記の表示システムでは、各画像処理装置１および情報処理装置３が、表示条件を含む表示装置情報を保有し、個別に管理している。そこで、１つの特定の画像処理装置１が表示装置情報を一元的に管理する。特定の画像処理装置１は、情報処理装置３であってもよい。他の画像処理装置１あるいは情報処理装置３は、必要なときに、特定の画像処理装置１に表示装置情報を要求する。特定の画像処理装置１は、表示装置情報を要求した画像処理装置１に送信する。他の画像処理装置１は、表示装置情報を取得でき、これに基づいて出力する画像を制限できる。このように、表示装置情報を一元的に管理することにより、表示装置情報のメンテナンスが容易となる。しかも、各画像処理装置１は最新の表示装置情報を利用することができる。
【００６０】
なお、本発明は、上記実施形態に限定されるものではなく、本発明の範囲内で上記実施形態に多くの修正および変更を加え得ることは勿論である。表示装置は、プラズマディスプレイ、有機ＥＬディスプレイを用いたものであってもよい。
【００６１】
情報処理装置が、表示条件にしたがって出力する画像を制限して、画像を表示装置に出力してもよい。すなわち、情報処理装置の制御部が、画像処理装置の制御部と同様に、画像を加工する機能を有する。
【００６２】
表示条件を変更可能としてもよい。利用者が表示条件を確認したとき、画像の加工に問題がある場合、表示条件を変更することにより、出力する画像の制限を厳しくすることができる。
【００６３】
表示条件の決定に際して、視認領域のセキュリティレベルだけでなく、画像のセキュリティレベルも加味して表示条件を決めてもよい。機密情報を含む画像は高いセキュリティレベルとされる。視認領域のセキュリティレベルが高くても、画像のセキュリティレベルが高い場合、出力する画像が厳しく制限されるように、表示条件が決められる。この場合、画像を出力するときに、画像処理装置あるいは情報処理装置の制御部は、視認領域のセキュリティレベルおよび画像のセキュリティレベルに応じて表示条件を決める。これによって、機密情報を含む画像を表示するとき、確実に元の画像とは異なる画像が表示されるので、セキュリティ性が高まり、機密情報の漏洩を防げる。
【００６４】
画像を表示するとき、そのつど視認領域のセキュリティレベルは決める代わりに、予め視認領域のセキュリティレベルを決めておく。この場合、表示装置を見る利用者を各視認領域に振り分ける。セキュリティレベルの低い視認領域には、外部の利用者を案内し、セキュリティレベルの高い視認領域には、内部の利用者を案内する。
【００６５】
表示装置は、３方向の視認領域に対して異なる画像を表示するマルチビュー表示を行うものであってもよい。３方向としては、画面に対して左側、右側、中央の各視認領域とする。また、複数の表示パネルを湾曲面に沿って並べた表示装置としてもよい。各表示パネルに表示された画像はそれぞれ正面から視認でき、斜めからは視認できない。各表示パネルに対応して、視認領域がそれぞれ決まる。
【図面の簡単な説明】
【００６６】
【図１】本発明の表示システムの全体構成図
【図２】画像処理装置および情報処理装置の内部構成を示すブロック図
【図３】表示装置の内部構成を示すブロック図
【図４】マルチビュー表示を説明するための図
【図５】表示装置情報テーブルを示す図
【図６】制限された画像を出力するときのフローチャート
【図７】操作パネルを示す図
【図８】送信先設定画面を示す図
【図９】表示条件の確認画面を示す図
【符号の説明】
【００６７】
１    画像処理装置
２    表示装置
３    情報処理装置
１０    スキャナ
１１    印刷部
１２    ＦＡＸ部
１７    制御部
１８    記憶部
３０    表示パネル
３１    タッチパネル
３３    表示コントロール部
３４    メモリ
３５    記憶部
３６    制御部
【図１】
2008304656.tif 000003
【図２】
2008304656.tif 000004
【図３】
2008304656.tif 000005
【図４】
2008304656.tif 000006
【図５】
2008304656.tif 000007
【図６】
2008304656.tif 000008
【図７】
2008304656.tif 000009
【図８】
2008304656.tif 000010
【図９】
2008304656.tif 000011